(57)【要約】  【課題】  ラッチ付電磁接触器は機械的に導通状態を保持するため、他の電磁接触器のように投入コイルの励磁を解くだけでは開路せず、開路するために引き外しコイルを励磁する必要がある。このため、開路動作が確実に行われているか確認する必要があるが、薄暗い分電盤に設置されている場合や、確認が困難な条件下においても、確実に開路動作を行え、確認できる装置を提供する必要がある。【解決手段】  ラッチユニットに開閉式のカバーを備え、カバーを開くことで開放動作を行うための手動用ボタンやレバー等が強制的に動作ささせられるラッチ付電磁接触器。【選択図】  図1
2014038788.tif 000002
【特許請求の範囲】
【請求項１】
接続される電路が閉路とされる場合に、可動絶縁台が閉路である保持状態となるような位置にラッチレバーが位置するラッチユニットを有するラッチ付電磁接触器において、
前記ラッチユニットに開閉動作するカバーを設け、
且つ、前記カバーは前記ラッチレバーの位置を変位させる曲げ部を有し、
前記カバーが開放されると前記カバーの曲げ部が前記ラッチレバーの位置を変位させ、前記ラッチレバーが可動絶縁台の保持を外し、接続される電路を開路とする
ことを特徴とするラッチ付電磁接触器。
【請求項２】
請求項1に記載のラッチ付電磁接触器において、
前記カバーの大きさをラッチユニットの平面形状の大きさよりも大きく、前記ラッチ付電磁接触器の平面形状の大きさよりも小さい
ことを特徴とするラッチ付電磁接触器。
【請求項３】
請求項1に記載のラッチ付電磁接触器において、
前記カバーの大きさを、前記ラッチ付電磁接触器の平面形状の大きさよりも大きい
ことを特徴とするラッチ付電磁接触器。
【請求項４】
接続される電路が閉路とされる場合に、可動絶縁台が閉路である保持状態となるような位置にラッチレバーが位置するラッチユニットを有するラッチ付補助継電器において、
前記ラッチユニットに開閉動作するカバーを設け、
且つ、前記カバーは前記ラッチレバーの位置を変位させる曲げ部を有し、
前記カバーが開放されると前記カバーの曲げ部が前記ラッチレバーの位置を変位させ、前記ラッチレバーが可動絶縁台の保持を外し、接続される電路を開路とする
ことを特徴とするラッチ付補助継電器。
【請求項５】
請求項４に記載のラッチ付補助継電器において、
前記カバーの大きさをラッチユニットの平面形状の大きさよりも大きく、前記ラッチ付補助継電器の平面形状の大きさよりも小さい
ことを特徴とするラッチ付補助継電器。
【請求項６】
請求項４に記載のラッチ付補助継電器において、
前記カバーの大きさを、前記ラッチ付補助継電器の平面形状の大きさよりも大きい
ことを特徴とするラッチ付補助継電器。
【発明の詳細な説明】
【技術分野】
【０００１】
本発明はラッチ付電磁接触器及び補助継電器に関する。
【背景技術】
【０００２】
電磁接触器の投入コイルを励磁することによって可動部を駆動させ接点を開閉させるものであるが、ラッチ付電磁接触器は接点閉路後、電磁接触器可動部に連結されたラッチユニットによって、機械的に導通状態を保持するものである。これにより、回路電圧の低下や停電時に接点が開閉するのを嫌う場合や、非常用電源用、常時流れる投入コイルの励磁電流を節約したい場合などに使用される。
【０００３】
また、従来のラッチ付電磁接触器は電磁接触器の投入コイル、ラッチユニット内に設置された引き外しコイルをそれぞれ励磁することにより電気的に開閉動作を可能とする構造と、手動により開閉動作を機械的に可能とする構造が備えられている。
【０００４】
なお、電磁接触器の内で、扱う電流値が所定の値よりも小さなものに対しては、一般的に補助継電器と呼ぶこととなっている。
【０００５】
上記のように、従来のラッチ付電磁接触器は、電気的・機械的に開閉することが出来る構造を備えているが、実際の開閉動作は電気的開閉で行う。機械的開閉は手動用のボタンまたはレバーによって行うものが存在するが、導電部に近いため、導通の無い場合のシーケンスチェックでのみ使用されている。
【先行技術文献】
【特許文献】
【０００６】
【特許文献１】特開2000-251601
【発明の概要】
【発明が解決しようとする課題】
【０００７】
上記のようにラッチ付電磁接触器は機械的に導通状態を保持するため、他の電磁接触器のように投入コイルの励磁を解くだけでは開路せず、開路するために引き外しコイルを励磁する必要がある。
【０００８】
このため、開路動作が確実に行われているか確認する必要があるが、例えば、薄暗い分電盤に設置されている場合には、その確認が困難なことがある。
【０００９】
従って、開路動作の確認が困難である条件下においても、確実に開路動作を行え、確認できる装置を提供することが必要とされ、課題である。
【課題を解決するための手段】
【００１０】
上記課題を解決するために、電磁接触器のラッチユニットに開閉式のカバーを取付け、カバーを開けることで、この開ける操作に対応して、手動用の引き外し機構を動作させる構造を備えることを特徴とする。
【００１１】
この点は、電磁接触器の内で、扱う電流値が所定の値よりも小さなもので、一般的に補助継電器と呼ばれるものについても、同様である。従って、以下の説明では、電磁接触器として説明をしているが、補助継電器においても、同じような手段、構成、構造にて、動作、実現出来るものである。
【００１２】
また、本発明の構成を以下に他の表現にて、説明する。
【００１３】
接続される電路が閉路とされる場合に、可動絶縁台が閉路である保持状態となるような位置にラッチレバーが位置するラッチユニットを有するラッチ付電磁接触器において、前記ラッチユニットに開閉動作するカバーを設け、且つ、前記カバーは前記ラッチレバーの位置を変位させる曲げ部を有し、前記カバーが開放されると前記カバーの曲げ部が前記ラッチレバーの位置を変位させ、前記ラッチレバーが可動絶縁台の保持を外し、接続される電路を開路とするようにする。
【００１４】
また、前記カバーの大きさをラッチユニットの平面形状の大きさよりも大きく、前記ラッチ付電磁接触器の平面形状の大きさよりも小さくなるようにする。
【００１５】
また、前記カバーの大きさを、前記ラッチ付電磁接触器の平面形状の大きさよりも大きくなるようにする。
【発明の効果】
【００１６】
以上のように、本発明によれば、カバーを開けることで手動用の引き外し機構を動作させるため、確実に開路動作が行われ、開路動作の確認が困難な状況下においても、開路状態を確認することが可能となる。
【図面の簡単な説明】
【００１７】
【図１】本発明の一実施例となるラッチ付電磁接触器の斜視図。
【図２】本発明の一実施例となる保持状態時のラッチユニットの構成を示す一部破砕側面図。
【図３】本発明の一実施例となるカバーを開けた時のラッチユニットの構成を示す一部破砕側面図。
【図４】本発明の一実施例となるラッチ付電磁接触器の正面図及び側面図。
【発明を実施するための形態】
【００１８】
本発明の実施例として図で説明する。
【００１９】
なお、前述のように、電磁接触器の内で、扱う電流値が所定の値よりも小さなものに対して、一般的に補助継電器と呼ばれるものである。以下の説明では、電磁接触器として、図面、文章で説明をしているが、補助継電器においても、同じような手段、構成、構造にて、動作、実現出来るものである。この為、以下の説明では、電磁接触器としての図面、文章で説明を補助継電器についての説明に代えることとし、省略するものとしている。
【００２０】
図1は本発明のラッチ付電磁接触器の一実施例となる斜視図である。
【００２１】
図2はラッチユニットが保持状態時の内部構造がわかるようにした破砕側面図である。  図２にて例示するように、ラッチ付電磁接触器において、ラッチユニットが保持状態の場合には、可動絶縁台24が開路方向に移動できないような位置に、ラッチレバー23が位置している。
【００２２】
またこのとき、ラッチレバー23は可動コア22を引き外しコイル26から遠ざける方向に押し出す。また可動コア22に連結しているリセットボタン21もケース25の側面側に位置し、カバー曲げ部11に近接している。
【００２３】
図3はラッチユニットがカバー1を開放した時のラッチユニットの内部構造がわかるようにした破砕側面図である。
【００２４】
ラッチ付電磁接触器を電気的に開路動作を行うと、引き外しコイル26が励磁され、吸引力が発生し可動コア22を吸引する。これにより、可動コア22と連結しているリセットボタン21はケース内側に入り込む。また、ラッチレバー23も引き込まれるため、可動絶縁台24の保持が外れ、開路動作が行われる。
【００２５】
しかし、何らかの原因でこの開放動作が行われない場合、リセットボタン21はケース25の側面側に位置している。
【００２６】
カバー1を開放するとカバー曲げ部11とリセットボタン21は接触するため、カバー1を開放方向に動作させると、カバー曲げ部11はリセットボタン21をケース25の内側に押し込む。
【００２７】
その結果、連結している可動コア22は引き外しコイル26側に押し込まれ、同時にラッチレバー23も引き込まれるため、可動絶縁台24の保持が外れ、開放動作を行う。
【００２８】
図4は上記構造をさらに発展させたもので、カバー1が正面からラッチユニット2、電磁接触器3を保護する形状とし、カバーを開かないと、作業が出来ない構造とするものである。
【００２９】
このようにすることで、ラッチ付電磁接触器を電気的に開路動作させる際には、カバーを開くという行動が必要となる。その結果、ラッチ付電磁接触器の開路動作に対応して、確実に開放状態を確認することが出来るようになる。
【００３０】
上述は、本発明に基づく、一実施例であり構造はこれだけに限らない。手動で開放状態を行うためのボタンもしくはレバーを直接押す構造ではなく、カバー等の間接部品を動作させることで開放状態を確認出来るようにすること、また、確認出来ることに対応して、開放状態となるように、動作できることを本発明では狙うものである。
【００３１】
従って、これらを実現するように、カバーに対応して、動作する部品などを適宜追加、変形するものであっても、本発明の範囲とするものである。
【符号の説明】
【００３２】
１：カバー、１１：カバー曲げ部、２：ラッチユニット、２１：リセットボタン、２２：可動コア、２３：ラッチレバー、２４：可動絶縁台、２５：ケース、２６：引き外しコイル、３：電磁接触器
【図１】
2014038788.tif 000003
【図２】
2014038788.tif 000004
【図３】
2014038788.tif 000005
【図４】
2014038788.tif 000006